(57)【要約】  【課題】離席・退席時などにノート型ＰＣを天板上から退避させてコンパクトに収納しておくことができ、取り出しも容易ならしめた新規有用なノート型ＰＣ用収納装置を提供する。  【解決手段】ノート型ＰＣ４を引出し２に収容した状態でその引出し２を収納空間１ａに対して出し入れし得るようにしたものである。そして、ノート型ＰＣ４を縦置き姿勢に維持し得るように、内法寸法がノート型ＰＣ４の厚み寸法に略対応し、上縁２２１ａが縦置き姿勢にあるノート型ＰＣ４の上部よりも低位に位置することとなる一対の壁２２１を引出し２に設けることとした。  【選択図】図５
2006085504.tif 000002
【特許請求の範囲】
【請求項１】
ノート型パーソナルコンピュータを引出しに収容した状態で当該引出しを収納空間に対して出し入れし得るようにしたものであって、ノート型パーソナルコンピュータを縦置き姿勢に維持し得るように、内法寸法がノート型パーソナルコンピュータの厚み寸法に略対応し、上縁が縦置き姿勢にあるノート型パーソナルコンピュータの上部よりも低位に位置することとなる一対の壁を前記引出しに設けたことを特徴とするノート型パーソナルコンピュータ用収納装置。
【請求項２】
ノート型パーソナルコンピュータに付随する配線を挿通した状態を保って引出しを収納空間に対して出し入れすることを可能とする配線挿通部を引き出しに設けている請求項１記載のノート型パーソナルコンピュータ用収納装置。
【請求項３】
引出しを収納空間に押し込んだ状態を保持するロック手段を設けている請求項１又は２記載のノート型パーソナルコンピュータ用収納装置。
【請求項４】
引出しが、ノート型パーソナルコンピュータを収容する上部トレーと、この上部トレーの下方に位置づけてノート型パーソナルコンピュータの付属品を側方から出し入れ可能に収容する下部トレーとを備える請求項１〜３記載のノート型パーソナルコンピュータ用収納装置。
【請求項５】
上部トレーの幅方向両縁にノート型パーソナルコンピュータの縦置き姿勢を維持する前記壁を起立させており、その壁の上縁に引出しの前面に向かって漸次高くなる傾斜部を設けている請求項４記載のノート型パーソナルコンピュータ用収納装置。
【請求項６】
下部トレーの幅方向両縁に付属品の脱落を防止する補助壁を起立させており、その補助壁の上縁に引出しの前面に向かって漸次高くなる補助傾斜部を設けている請求項４又は５記載のノート型パーソナルコンピュータ用収納装置。
【請求項７】
床上に自立して据え置き可能な筐体に収納空間を設け、この収納空間に対して引出しを出し入れ可能としたものであって、筐体の底部に、幅方向に延びる薄板状のベースを位置変更可能に取り付けている請求項１〜６記載のノート型パーソナルコンピュータ用収納装置。
【請求項８】
引出しを収納空間に押し込んだ状態を保持するロック手段を設けるとともに、筐体の一部にワイヤーロックを挿通するための挿通部を設けている請求項７記載のノート型パーソナルコンピュータ用収納装置。
【請求項９】
高さ寸法がワゴンのそれとほぼ同じであり、デスクの下肢空間に据え置いてワゴンとともに併用可能である請求項７又は８記載のノート型パーソナルコンピュータ用収納装置。
【発明の詳細な説明】
【技術分野】
【０００１】
本発明は、離席・退席時などにノート型パーソナルコンピュータ（以下、「ノート型ＰＣ」と略称する）を簡易に収納しておけるようにしたノート型ＰＣ用収納装置に関するものである。
【背景技術】
【０００２】
従来より、デスク上でノート型ＰＣを使用した後に離席・退席する際には、そのまま放置しているのが通例であり、天板上ひいてはオフィス空間全体が雑然とする不具合を招いている。また、使用時・不使用時を問わず、ノート型ＰＣが常時天板の一部を占有するため作業領域が侵されるという問題や、盗難に逢い易いという問題もあり、何らかの対策が望まれていた。
【０００３】
そこで、近時において、特許文献１に示すような収納装置が開発されている。このものは、前面に開口を有し天板上に配置されるケース本体と、このケース本体に対し出し入れ可能であって底板及び前面板を有する引出しとを備え、ノート型ＰＣを平置きした状態で引出しの底板上に載置し、そのまま引出しを押し込むことによってノート型ＰＣをケース本体内に収納することができるようにしている。
【０００４】
また、使用時には、引出しを前方に牽引してノート型ＰＣを取り出し、前面板を底板と面一となる位置まで回転させることによって、そのままノート型ＰＣを使用できる環境を整えるようにしている。
【特許文献１】特開平１０−２９３６２５
【発明の開示】
【発明が解決しようとする課題】
【０００５】
しかしながら、このような収納装置においても、当該装置がノート型ＰＣを収容した状態で平置きされることに変わりはないため、天板上を常時占有する不具合は解消されない。また、ノート型ＰＣは露出しないものの、やはり収納装置が天板上に配置されることで雑然とした感も残り、さらに目に付き易いため盗難の対象となり易い問題も残される。
【０００６】
これに対して、下肢空間に配置される通常のワゴンにノート型ＰＣを収容しても、天板から撤去することは可能になるが、ワゴンにノート型ＰＣを平置きすると他の物を収納できなくなり、またノート型ＰＣを取り出す際に平置きするとノート型ＰＣと引出しの壁とのクリアランスも僅かとなって手を挿入することが困難となる場合がある。
【０００７】
本発明は、このような課題に着目してなされたものであって、離席・退席時などにノート型ＰＣを天板上から退避させてコンパクトに収納しておくことができ、取り出しも便ならしめた新規有用なノート型ＰＣ用収納装置を提供することを目的としている。
【課題を解決するための手段】
【０００８】
本発明は、上記の目的を達成するために、次のような手段を講じたものである。
【０００９】
すなわち、本発明のノート型ＰＣ収納装置は、ノート型ＰＣを引出しに収容した状態で当該引出しを収納空間に対して出し入れし得るようにしたものであって、ノート型ＰＣを縦置き姿勢に維持し得るように、内法寸法がノート型ＰＣの厚み寸法に略対応し、上縁が縦置き姿勢にあるノート型パーソナルコンピュータの上部よりも低位に位置することとなる一対の壁を前記引出しに設けたことを特徴とする。
【００１０】
このようなものであると、ノート型ＰＣを平置きではなく縦に収納するので、平面的に場所をとらず、幅方向にスリムな収納装置を構成することができる。そして、これにより天板上を有効に開放することが可能となる。また、収容時にノート型ＰＣの上部が壁の上縁よりも上方に突出した状態に設けられるので、上方から容易にノート型ＰＣの出し入れを行うことができ、取り出す際も容易にノート型ＰＣを把持して持ち上げることができる。
【００１１】
収納時の放電を有効に防止するためには、ノート型ＰＣに付随する配線を挿通した状態を保って引出しを収納空間に対して出し入れすることの可能な配線挿通部を引出しに設けおくことが好ましい。
【００１２】
セキュリティを確保するためには、引出しを収納空間に押し込んだ状態を保持するロック手段を設けておくことが望ましい。
【００１３】
ノート型ＰＣ及びこれに付随する付属品を類別して適切に収納可能とするためには、引出しが、ノート型ＰＣを収容する上部トレーと、この上部トレーの下方に位置づけてノート型ＰＣの付属品を側方から出し入れ可能に収容する下部トレーとを備えていることが効果的である。
【００１４】
ノート型ＰＣの適正な収納状態と挿脱容易性とを有効に両立させるためには、上部トレーの幅方向両縁にノート型ＰＣの縦置き姿勢を維持する前記壁を起立させ、その壁の上縁に引出しの前面に向かって漸次高くなる傾斜部を設けておくことが望ましい。
【００１５】
付属品の適正な収納状態と挿脱容易性とを有効に両立させるためには、下部トレーの幅方向両縁に付属品の脱落を防止する補助壁を起立させ、その補助壁の上縁に引出しの前面に向かって漸次高くなる補助傾斜部を設けておくことが望ましい。
【００１６】
適切な場所を選定してノート型ＰＣ収納装置の配置を可能とするためには、床上に自立して据え置き可能な筐体に収納空間を設けて、この収納空間に対して引出しを出し入れ可能とし、その筐体の底部に、幅方向に延びる薄板状のベースを位置変更可能に取り付けるようにしておくことが効果的である。
【００１７】
据え置きタイプにしてもセキュリティを適切に図るためには、引出しを収納空間に押し込んだ状態を保持するロック手段を設けるとともに、筐体の一部にワイヤーロックを挿通するための挿通部を設けておくことが効果的である。
【００１８】
本発明は、以上のような構成であるから、高さ寸法をワゴンのそれにほぼ揃え、デスクの下肢空間に据え置いてワゴンとともに併用する使用態様が極めて有効なものとなる。
【発明の効果】
【００１９】
本発明は、以上のような構成に基づき、離席・退席時などにノート型ＰＣを天板上から退避させてコンパクトに収納することで、退避先の場所を大きく占有することなく天板上を簡単に片付けることができ、また取り出しも容易となる新規有用なノート型ＰＣ用収納装置を提供することが可能となる。
【発明を実施するための最良の形態】
【００２０】
以下、本発明の一実施形態を、図面を参照して説明する。
【００２１】
図１から図４に示すように、この実施形態のノート型ＰＣ用収納装置Ｓは、筐体１と、この筐体１に対して出し入れ可能な引出し２とを備える。
【００２２】
筐体１は、上板１１、底板１２、左右の側板１３及び背板１４を有し、前面側に収納空間１ａを開放してなるもので、素材には耐久性を考慮してスチール等が用いられ、その筐体１の底部にベース３を設けて床上に自立して据え置き可能としている。具体的には、ベース３は筐体１の左右の側板１３から幅方向に沿って外方に突出する薄板状のもので、図１の平面図にて二点鎖線で示すように、底板１２に対して幅方向の取付位置が位置変更可能であるように取り付けられる。奥行き方向も図示しないが同様である。この本実施形態においてはベース３は前後に対をなして設けられている。
【００２３】
一方、引出し２は、鏡板２１と、この鏡板２１の背面から後方に伸びる上部トレー２２及び下部トレー２３と、上部トレー２２の左右両縁２２ａより起立する壁２２１と、下部トレー２３の左右両縁２３ａより上部トレー２２の底壁２２２（図１参照）との間に隙間をあけた状態で起立する補助壁２３１と、上部トレー２２及び下部トレー２３の後端部を支持する後板２４とを備えるもので、図５に示すように、鏡板２１、左右の壁２２１及び後板２４によってポケット状に囲まれる前記上部トレー２２にノート型ＰＣ４を収容し、鏡板２１、左右の補助壁２３１及び後板２４によって部分的に囲まれる前記下部トレー２３に側方から出し入れ可能にノート型ＰＣ４の付属品４１を収容可能としている。上部トレー２２の一対の壁２２１は、ノート型ＰＣ４を縦置き姿勢に維持し得るように、内法寸法をノート型ＰＣ４の厚み寸法に略対応させて例えば１００ｍｍ程度に設定し、さほど大きなクリアランスを生じさせることなくノート型ＰＣ４を収容可能としており、上縁２２１ａを縦置き姿勢にあるノート型ＰＣ４の上部よりも低位に位置づけて、ノート型ＰＣ４を挿脱する際の把持しろを確保している。一方、下部トレー２３は、ノート型ＰＣ４に付属するマウス４１ａ、充電アダプタ４１ｂ、ＣＤドライブ等の付属品４１を収容可能なもので、補助壁２３１の上縁２３１ａには引出し２の前面に向かって漸次高くなる補助傾斜部２３１ｂが設けてある。この引出し２は、前記壁２２１の外面と筐体１の内面との間に設けたレール機構２５において前後スライドすることによって筐体１の収納空間１ａに対して出し入れ可能とされており、前端側の下面に当該引出し２を引き出した際に主として機能するキャスタ２６を設けている。この筐体１の高さ寸法は、通常のワゴンＷのそれと略同等程度に設定されている。
【００２４】
また、この実施形態は、前記ノート型ＰＣ４に付随する配線４２を挿通した状態を保って前記引出し２を収納空間１ａに対して出し入れすることを可能とする配線挿通部２１１（図３参照）と、引出し２を収納空間１ａに押し込んだ状態を保持するロック手段２１４とを設けている。
【００２５】
配線挿通部２１１は、引出し２の鏡板２１の上縁近傍に設けられている。具体的には、前記鏡板２１の上縁近傍には、一部を切り欠いて樹脂製の把手部材２１２が装着されており、この把手部材２１２の上縁には、取り外すことによって前記配線挿通部２１１を開口させるキャップ２１３が付随して設けてある。このキャップ２１３を装着した状態で引出し２を筐体１の内部に押し込むときは、鏡板２１の上縁と筐体１の上板１１との間は密接に閉止されるが、キャップ２１３を外した状態で引出し２を筐体１の内部に押し込んだときは、図３に示すように、鏡板２１の上縁と筐体１の上板１１との間に前記配線挿通部２１１が開口した状態のままとなる。
【００２６】
一方、ロック手段２１４は、前記鏡板２１の把手部材２１２よりも下方に位置づけて設けられたダイヤルロック式のもので、鍵を使用することなく、引出し２を筐体１の適宜部位にロック若しくはロック解除できる機能を備えている。
【００２７】
なお、筐体１の背板１４の一部には、ワイヤーロックを挿通することによって筐体１をデスクＤ等の固定部に係留させておくための挿通部１５（図３参照）が設けてある。
【００２８】
このノート型ＰＣ用収納装置Ｓは、叙述した構成のものであるから、図６に示すように、デスクＤの下肢空間Ｄ１に据え置いてワゴンＷとともに併用することが可能でである。
【００２９】
以上のようにして、この実施形態のノート型ＰＣ用収納装置Ｓは、ノート型ＰＣ４を引出し２に収容した状態で当該引出し２を収納空間１ａに対して出し入れ可能としたものである。そして、ノート型ＰＣ４を縦置き姿勢に維持し得るように、内法寸法がノート型ＰＣ４の厚み寸法に略対応し、上縁２２１ａが縦置き姿勢にあるノート型ＰＣ４の上部よりも低位に位置することとなる一対の壁２２１を前記引出し２に設けることとしている。
【００３０】
このような構成であれば、ノート型ＰＣ４を平置きではなく縦に収納することができる上入れポケット式のものになるので、平面的に場所をとらず、幅方向にスリムな収納装置を構成してわずかなスペースに設置することができる。そして、これにより天板Ｄ２上を有効に開放することが可能となる。また、収容時にノート型ＰＣ４の上部が壁２２１の上縁２２１ａよりも上方に突出した状態に設けられるので、上方から容易にノート型ＰＣ４の挿入を行うことができ、取り出す際も容易にノート型ＰＣ４を把持して持ち上げることができるようになって、挿脱容易性も確保されることとなる。
【００３１】
また、ノート型ＰＣ４に付随する配線４２を挿通した状態を保って引出し２を収納空間１ａに対して出し入れすることを可能とする配線挿通部２１１を引出し２に設けており、配線挿通部２１１に配線４２を挿通した状態のままで引出し２を開閉できるので、ノート型ＰＣ４を使用位置から収納位置に移動させても、給電状態を容易に維持することができる。
【００３２】
さらに、引出し２を収納空間１ａに押し込んだ状態を保持するダイヤルロック式のロック手段２１４を設けているので、いたずらや盗難等のおそれも簡単な操作によって効果的に低減することが可能となる。
【００３３】
具体的には、引出し２が、上段側にあってノート型ＰＣ４を収容するための縦長で比較的奥の深いポケットを形成する上部トレー２２と、この上部トレー２２の下方に位置する下段側にあってノート型ＰＣ４の付属品４１を側方から出し入れ可能に収容するための比較的小さなスペースを形成する下部トレー２３とを備えており、上下方向にトレー２２、２３が重畳しているので、下部トレー２３を設けても平面的に設置場所が広がることがなく、ノート型ＰＣ４及び付属品４１を効率良くコンパクトに収納しておくことができる。
【００３４】
また、下部トレー２３の幅方向両縁２３ａに付属品４１の脱落を防止する補助壁２３１を起立させており、その補助壁２３１の上縁２３１ａに引出し２の前面に向かって漸次高くなる補助傾斜部２３１ｂを設けているので、引出し２を押し込むときに付属品４１が側方にはみだして押し込み操作の妨げになることを有効に回避することができる。特に押し込みの終盤ほどはみだし易いのが通例であるため、補助壁２３１が漸次高くなるのでその防止効果がより実効を奏することとなる。
【００３５】
更にまた、床上に自立して据え置き可能な筐体１に収納空間１ａを設け、この収納空間１ａに対して引出し２を出し入れ可能としたものであって、筐体１の底部に、幅方向に延びる薄板状のベース３を位置変更可能に取り付けているので、状況に応じ適切なベース３の位置を選択することができ、これにより転倒防止を効果的に図って自立性を高めることができる。また、ベース３をデスクＤの脚などにより固定すれば、容易には持ち去れない状態となるので、転倒防止と盗難防止の効果をより実効あらしめることができる。
【００３６】
勿論、引出し２を収納空間１ａに押し込んだ状態を保持するロック手段２１４を設けるとともに、筐体１の一部にワイヤーロックを挿通するための挿通部１５を設けており、これらを同時に機能させれば、引出し２を引き出すことを禁止するとともに筐体１がそのまま持ち去られることも有効に防止して、自立据え置きタイプのものでも盗難防止効果を一層高めることができる。
【００３７】
本実施形態は、以上のような構成により、筐体１の高さ寸法をワゴンＷのそれにほぼ一致させ、デスクＤの下肢空間Ｄ１に据え置いてワゴンＷとともに併用可能としており、スリムであるため下肢空間Ｄ１を極力侵さず、ワゴンＷとともに整然と配置して、ワゴンＷと同様の使い勝手により、下肢空間の僅かなスペースを利用してノート型ＰＣ４の収納場所として有効に活用することが可能となる。また、かかる設置場所であれば天板Ｄ２上のように即座には視認されないので、防犯にもより有効に役立てることができる。
【００３８】
なお、各部の具体的な構成は、上述した実施形態のみに限定されるものではない。
【００３９】
例えば、収納空間は、必ずしも自立性のある筐体に設ける場合に限らず、例えばデスクの一部に一体的に設けることも可能である。
【００４０】
また、図７に示すように、上部トレー２２の幅方向両縁より起立する壁２２１の上縁２２１ａに、引出し２の前面に向かって漸次高くなる傾斜部２２１ｂを設けておけば、壁２２１の上方からノート型ＰＣ４を収納していくときに、壁２２１の高い部分によってノート型ＰＣ４のバタつきを防止し、壁２２１の低い部分によってノート型ＰＣ４を最後まで把持した状態で挿入動作を完了することができ、的確な収容状態と挿脱容易性とを有効に両立させることが可能となる。
【００４１】
その他の構成も、本発明の趣旨を逸脱しない範囲で種々変形が可能である。
【図面の簡単な説明】
【００４２】
【図１】本発明の一実施形態に係るノート型ＰＣ用収納装置を示す三面図。
【図２】同実施形態に係るノート型ＰＣ用収納装置の引出しを開いた状態を示す側面図。
【図３】同実施形態に係るノート型ＰＣ用収納装置の引出しを閉じた状態を示す斜視図。
【図４】同実施形態に係るノート型ＰＣ用収納装置の引出しを開いた状態を示す斜視図。
【図５】同実施形態に係るノート型ＰＣ用収納装置の使用例を示す斜視図。
【図６】同実施形態に係るノート型ＰＣ用収納装置をデスクの下肢空間に配置した状態を示す斜視図。
【図７】本発明の他の実施形態に係るノート型ＰＣ用収納装置を示す斜視図。
【符号の説明】
【００４３】
１…筐体
１ａ…収納空間
２…引出し
３…ベース
４…ノート型ＰＣ
１５…挿通部
２２…上部トレー
２２ａ、２３ａ…両縁
２３…下部トレー
４１…付属品
４２…配線
２１１…配線挿通部
２１４…ロック手段
２２１…壁
２２１ａ、２３１ａ…上縁
２２１ｂ…傾斜部
２３１…補助壁
２３１ｂ…補助傾斜部
Ｄ…デスク
Ｄ１…下肢空間
Ｓ…ノート型ＰＣ用収納装置
Ｗ…ワゴン
【図１】
2006085504.tif 000003
【図２】
2006085504.tif 000004
【図３】
2006085504.tif 000005
【図４】
2006085504.tif 000006
【図５】
2006085504.tif 000007
【図６】
2006085504.tif 000008
【図７】
2006085504.tif 000009